(57)【要約】【課題】別途、特別な連結部品を用いることなく照明器具同士の連結及び連結角度の設定ができる連結式照明器具を実現する。             【解決手段】長尺な器具本体16を構成する蓋部14の一端部に、器具本体16の長手方向に延び、同一円周上において１８０度間隔で対向配置され、中心角が９０度と成された円弧状の一対の長孔22ａ，22ｂを形成すると共に、器具本体16を構成する蓋部14の他端部に、一対のコンタクトピン26ａ，26ｂを設け、一方の連結式照明器具10Ａのコンタクトピン26ａ，26ｂを、他方の連結式照明器具10Ｂの長孔22ａ，22ｂ内に挿入した状態で、コンタクトピン26ａ，26ｂを円弧状の長孔22ａ，22ｂに沿って移動させることにより、一方の連結式照明器具10Ｂが回転して連結角度の調整を行うことができる連結式照明器具10。【選択図】図１
2010218931.tif 000002
【特許請求の範囲】
【請求項１】
長尺な器具本体を有する連結式照明器具であって、上記器具本体の両端部に、他の連結式照明器具の器具本体の端部を回転可能に連結する連結機構を形成したことを特徴とする連結式照明器具。
【請求項２】
長尺な器具本体を有する連結式照明器具であって、
上記器具本体の一端部に、該器具本体の長手方向に延び、同一円周上において１８０度間隔で対向配置された一対の円弧状の長孔を形成し、また、
上記器具本体の他端部に、他の連結式照明器具の上記長孔に挿入される一対の長孔挿入部材を形成したことを特徴とする連結式照明器具。
【請求項３】
上記一対の長孔の中心角が９０度と成されていることを特徴とする請求項２に記載の連結式照明器具。
【請求項４】
上記器具本体の内部に光源が配置されており、また、
上記長孔内に、光源と電気的に接続された導体が延設されており、さらに、
上記長孔挿入部材が、光源と電気的に接続された導電材で構成されており、
上記導電材より成る長孔挿入部材は、他の連結式照明器具の長孔内に挿入されて上記導体と接続されることを特徴とする請求項２又は３に記載の連結式照明器具。
【請求項５】
上記光源が発光ダイオードであることを特徴とする請求項４に記載の連結式照明器具。
【請求項６】
導電材より成る長孔挿入部材が、コンタクトピンであることを特徴とする請求項４又は５に記載の連結式照明器具。
【発明の詳細な説明】
【技術分野】
【０００１】
この発明は、複数の照明器具同士を連結することのできる連結式照明器具に関する。
【背景技術】
【０００２】
従来、店舗やオフィスの照明として、複数の長尺な照明器具同士を連結させてライン状に配置させたり、照明器具同士の連結角度を調整することにより所定の形状に配置させることが行われている。
複数の照明器具同士を連結するため、従来、例えば、実開平５−６１２１５号「発光式標識装置及びその継手」（特許文献１）が提案されている。
この特許文献１においては、「両端に連結顎部２２を有する複数個の発光ユニット２を、上記連結顎部２２同士を連結する継手４によって所望の形状に連結したもの」が開示されている。
【特許文献１】実開平５−６１２１５号公報
【発明の開示】
【発明が解決しようとする課題】
【０００３】
上記特許文献１は、発光ユニット２の両端に設けた連結顎部２２同士を連結する「継手４」を介して、複数個の発光ユニット２を連結すると共に、連結顎部２２を所望の連結角度に設定できるものである。
しかしながら、特許文献１にあっては、発光ユニット２の連結及び連結角度の設定のため、発光ユニット２以外に、別途、特別な連結部品としての「継手４」が必要であることから、部品点数が多く構造が複雑であった。
【０００４】
本発明は、従来の上記問題に鑑みてなされたものであり、その目的とするところは、別途、特別な連結部品を用いることなく照明器具同士の連結及び連結角度の設定ができる連結式照明器具を実現することにある。             
【課題を解決するための手段】
【０００５】
上記の目的を達成するため、請求項１に記載の連結式照明器具は、長尺な器具本体を有する連結式照明器具であって、上記器具本体の両端部に、他の連結式照明器具の器具本体の端部を回転可能に連結する連結機構を形成したことを特徴とする。
【０００６】
請求項２に記載の連結式照明器具は、
長尺な器具本体を有する連結式照明器具であって、
上記器具本体の一端部に、該器具本体の長手方向に延び、同一円周上において１８０度間隔で対向配置された一対の円弧状の長孔を形成し、また、
上記器具本体の他端部に、他の連結式照明器具の上記長孔に挿入される一対の長孔挿入部材を形成したことを特徴とする。
【０００７】
請求項３に記載の連結式照明器具は、請求項２に記載の連結式照明器具において、一対の長孔の中心角を９０度と成したことを特徴とする。
【０００８】
請求項４に記載の連結式照明器具は、請求項２又は３に記載の連結式照明器具において、
上記器具本体の内部に光源が配置されており、また、
上記長孔内に、光源と電気的に接続された導体が延設されており、さらに、
上記長孔挿入部材が、光源と電気的に接続された導電材で構成されており、
上記導電材より成る長孔挿入部材は、他の連結式照明器具の長孔内に挿入されて上記導体と接続されることを特徴とする。
【０００９】
請求項５に記載の連結式照明器具は、請求項４に記載の連結式照明器具において、光源が発光ダイオードであることを特徴とする。
【００１０】
請求項６に記載の連結式照明器具は、請求項４又は５に記載の連結式照明器具において、導電材より成る長孔挿入部材が、コンタクトピンであることを特徴とする。
【発明の効果】
【００１１】
本発明の請求項１に記載の連結式照明器具は、長尺な器具本体の両端部に、他の連結式照明器具の器具本体の端部を回転可能に連結する連結機構を形成したので、別途、特別な連結部品を用いることなく、連結照明器具同士の連結及び連結角度の設定ができる
【００１２】
本発明の請求項２に記載の連結式照明器具は、長尺な器具本体の一端部に、該器具本体の長手方向に延び、同一円周上において１８０度間隔で対向配置された円弧状の一対の長孔を形成すると共に、器具本体の他端部に、他の連結式照明器具の上記長孔に挿入される一対の長孔挿入部材を形成したので、一の連結式照明器具の長孔挿入部材を、他の連結式照明器具の長孔内に挿入した状態で、長孔挿入部材を円弧状の長孔に沿って移動させれば一の連結式照明器具が回転するため、連結角度の調整を行うことができる。従って、別途、特別な連結部品を用いることなく、連結照明器具同士の連結及び連結角度の設定ができる。
【００１３】
請求項３に記載の連結式照明器具の如く、請求項２に記載の連結式照明器具において、一対の長孔の中心角を９０度と成した場合には、一の連結式照明器具の長孔挿入部材を、他の連結式照明器具の長孔内に挿入した状態で、長孔挿入部材を円弧状の長孔に沿って移動させて一の連結式照明器具を回転させることにより、９０度の範囲で連結角度の調整を行うことができる。
【００１４】
請求項４に記載の連結式照明器具の如く、請求項２又は３に記載の連結式照明器具において、上記長孔内に、器具本体内部の光源と電気的に接続された導体が延設され、また、上記長孔挿入部材が、光源と電気的に接続された導電材で構成され、上記導電材より成る長孔挿入部材は、他の連結式照明器具の長孔内に挿入されて上記導体と接続されるよう構成すれば、連結式照明器具同士の電気的接続も実現することができる。
【発明を実施するための最良の形態】
【００１５】
本発明は、長尺な器具本体を有する連結式照明器具であって、上記器具本体の両端部に、他の連結式照明器具の器具本体の端部を回転可能に連結する連結機構を形成したものであり、以下、図面に基づき、本発明に係る連結式照明器具の実施形態を説明する。
図１は、本発明に係る連結式照明器具10の平面図、図２は正面図、図３は底面図、図４は右側面図、図５は左側面図、図６は図１のＡ−Ａ断面図、図７は図１のＢ−Ｂ断面図である。
本発明の連結式照明器具10は、長尺な基板12と、該基板12の表面を覆う長尺な蓋部14を備えた器具本体16を有しており、該器具本体16は長尺で棒状の外観を呈している。
【００１６】
器具本体16を構成する上記基板12はアルミニウム等の導電材上に樹脂等の絶縁層（図示省略）を形成して構成されており、該基板12の表面には、光源としての６個の発光ダイオード（ＬＥＤ）20が所定間隔で配置されている。また、６個のＬＥＤ20は、表面を半田メッキされた銅等より成る導体パターン（図示せず）を介して直列接続されている。
尚、各ＬＥＤ20は、６個のＬＥＤチップ（図示せず）を内蔵しており、これら６個のＬＥＤチップは、２個づつ並列接続されて３組のＬＥＤチップ群が構成されると共に、これら３組のＬＥＤチップ群同士が直列接続されている。
上記蓋部14は、樹脂等より成る透光性材料で構成されており、ＬＥＤ20の発光を透過させて外部へ放射できるようになっている。
【００１７】
図１及び図７に示すように、器具本体16を構成する上記蓋部14の一端部には、器具本体16の長手方向に延びる円弧状の一対の長孔22ａ，22ｂが形成されている。上記一対の長孔22ａ，22ｂは、同一円周上において１８０度間隔で対向配置されており、また、その中心角は同一の９０度と成されている。
尚、上記長孔22ａ，22ｂ内に露出した基板12の表面には、上記ＬＥＤ20に接続された図示しない導体パターンが延設されている。
また、上記一対の長孔22ａ，22ｂ間には、ネジ孔24が形成されている。
【００１８】
さらに、上記蓋部14の他端部の底面には、導電材より成る長孔挿入部材としての一対のコンタクトピン26ａ，26ｂが取り付けられている。すなわち、図３に示すように、蓋部14の他端の底面には導電板28が取り付けられており、該導電板28の先端に形成した孔（図示せず）にコンタクトピン26ａ，26ｂを挿通固定している。これらコンタクトピン26ａ，26ｂは、連結式照明器具10同士を連結する際に、他の連結式照明器具10の一対の長孔22ａ，22ｂ内に挿入されるものである。
上記コンタクトピン26ａ，26ｂは、図８に示す如く、筒状体27の内部にスプリング29を内蔵すると共に、該スプリング29に接続され、上記筒状体27に挿通可能な先端部31を有しており、上記先端部31が押圧されるとスプリング29が圧縮されるようになっている。
尚、上記導電板28の後端は、ＬＥＤ20に接続された図示しない導体パターン導体と接続されている。
また、上記蓋部14の他端部にもネジ孔30が形成されている。
【００１９】
上記構成を備えた本発明の連結式照明器具10同士を連結するには、図９〜図１１に示すように、一方の連結式照明器具10Ａのコンタクトピン26ａ，26ｂを、他方の連結式照明器具10Ｂの長孔22ａ，22ｂ内に挿入し、コンタクトピン26ａ，26ｂを導体パターン（図示省略）上に載置・接続する。
【００２０】
そして、コンタクトピン26ａ，26ｂが長孔22，22内に挿入された状態で、コンタクトピン26ａ，26ｂを円弧状の長孔22ａ，22ｂに沿って移動させれば、一方の連結式照明器具10Ａが回転するので連結角度を調整することができる。
すなわち、上記した通り、一対の円弧状の長孔22ａ，22ｂは、同一円周上において１８０度間隔で対向配置されると共に、中心角が９０度と成されているので、図１２及び図１３に示すように、一対のコンタクトピン26ａ，26ｂを共に、長孔22，22の中央位置に配置すれば、連結式照明器具10Ａ，10Ｂ同士をライン状に連結することができる。
また、図１４及び図１５に示すように、一方のコンタクトピン26ａを長孔22ａの左端位置に配置すると共に、他方のコンタクトピン26ｂを長孔22ｂの右端位置に配置すれば、一方の連結式照明器具10Ａを他方の連結式照明器具10Ｂに対して上方４５度の角度で連結することができる。
さらに、図示は省略するが、一方のコンタクトピン26ａを長孔22ａの右端位置に配置すると共に、他方のコンタクトピン26ｂを長孔22ｂの左端位置に配置すれば、一方の連結式照明器具10Ａを他方の連結式照明器具10Ｂに対して下方４５度の角度で連結することができる。
以上の通り、本発明の連結式照明器具10は、他方の連結式照明器具10Ｂの長孔22ａ，22ｂ内に挿入された一方の連結式照明器具10Ａのコンタクトピン26ａ，26ｂを、長孔22ａ，22ｂに沿って移動させて一方の連結式照明器具10Ａを回転させることにより、９０度の範囲で連結角度の調整を行うことができるのである。
【００２１】
尚、一方の連結式照明器具10Ａのコンタクトピン26ａ，26ｂを、他方の連結式照明器具10Ｂの長孔22ａ，22ｂ内に挿入した状態においては、一方の連結式照明器具10Ａのネジ孔30と他方の連結式照明器具10Ｂのネジ孔24とが連通するようになっている。
而して、上記方法で一方の連結式照明器具10Ａと他方の連結式照明器具10Ｂとを所望の連結角度で連結した状態で、ネジ孔24，30にネジ32を螺合させて連結式照明器具10Ａ，10Ｂ同士を固定するのである（図１６）。尚、連結式照明器具10同士の固定手段としては上記ネジ32だけでなく、例えば、図示しないブッシュを介して連結式照明器具10同士を固定したり、或いは、一方の連結式照明器具10Ａと他方の連結式照明器具10Ｂの夫々に相互に係合する係合爪を設けて固定するようにしても良い。
【００２２】
上記の通り、長孔22ａ，22ｂ内に露出した基板12の表面には、ＬＥＤ20に接続された導体パターンが延設され、また、コンタクトピン26ａ，26ｂは、ＬＥＤ20に接続された導体パターンと接続する導電板28に固定されている。
従って、コンタクトピン26ａ，26ｂを長孔22ａ，22ｂ内に挿入して導体パターン上に載置・接続した状態で、ネジ32を介して連結式照明器具10同士を連結すると、一方の連結式照明器具10ＡのＬＥＤ20−導体パターン−導電板28−コンタクトピン26ａ，26ｂ−他方の連結式照明器具10Ｂの導体パターン−ＬＥＤ20とが電気的に接続され、連結式照明器具10同士の電気的接続を実現できる。
【００２３】
尚、上記コンタクトピン26ａ，26ｂは、スプリング29が圧縮することにより、先端部31が導体パターン方向への付勢力を持った状態で導体パターンに圧接されるので接続強度が大きい。
尚、図１７に示すように、上記コンタクトピン26ａ，26ｂに代えて、先端にバネ性の有るコンタクト部28ａを有する導電板28を用いても良い。この場合も、長孔22ａ，22ｂ内に挿入された導電板28のコンタクト部28ａが導体パターン方向への付勢力を持った状態で導体パターンに圧接されるので接続強度が大きい。
【００２４】
上記連結式照明器具10にあっては、器具本体16を構成する蓋部14の一端部に、器具本体16の長手方向に延び、同一円周上において１８０度間隔で対向配置された円弧状の一対の長孔22ａ，22ｂを形成すると共に、器具本体16を構成する蓋部14の他端部に、一対のコンタクトピン26ａ，26ｂを設けたので、一方の連結式照明器具10Ａのコンタクトピン26ａ，26ｂを、他方の連結式照明器具10Ｂの長孔22ａ，22ｂ内に挿入した状態で、コンタクトピン26ａ，26ｂを円弧状の長孔22ａ，22ｂに沿って移動させれば一方の連結式照明器具10Ａが回転するため、連結角度の調整を行うことができる。
従って、本発明の連結式照明器具10は、別途、連結角度調整のための特別な連結部品を用いることなく、連結照明器具10同士の連結及び連結角度の設定ができる。
【００２５】
上記においては、同じ長さの連結式照明器具10同士を連結する場合を例に挙げて説明したが、長さの異なる連結式照明器具10を複数種類用意しておき、取付場所の形状に応じて長さの異なる連結式照明器具10同士を連結することもできる。
【００２６】
また、上記においては、円弧状の長孔22ａ，22ｂの中心角が９０度の場合を例示したが、これに限定されるものではなく、例えば、中心角を９０度より大きく成せば、９０度より大きい範囲で連結角度の調整が可能となる。
【００２７】
上記の通り、連結式照明器具10同士を機械的に連結すると、同時に、連結式照明器具10同士の電気的接続も実現されるよう構成するのが望ましいが、単に、連結式照明器具10同士が機械的にのみ連結するよう構成することもできる。この場合は、長孔22ａ，22ｂ内に導体パターンを延設する必要はなく、また、長孔挿入部材を導電材（コンタクトピン26ａ，26ｂや導電板28）で構成する必要はない。
【図面の簡単な説明】
【００２８】
【図１】本発明に係る連結式照明器具を示す平面図である。
【図２】本発明に係る連結式照明器具を示す正面図である。
【図３】本発明に係る連結式照明器具を示す底面図である。
【図４】本発明に係る連結式照明器具を示す右側面図である。
【図５】本発明に係る連結式照明器具を示す左側面図である。
【図６】図１のＡ−Ａ断面図である。
【図７】図１のＢ−Ｂ断面図である。
【図８】コンタクトピンを示す説明図である。
【図９】本発明に係る連結式照明器具同士を連結した状態を示す部分平面図である。
【図１０】図９のＣ−Ｃ拡大断面図である。
【図１１】図９のＤ−Ｄ拡大断面図である。
【図１２】本発明に係る連結式照明器具同士をライン状に連結した状態を示す平面図である。
【図１３】本発明に係る連結式照明器具同士をライン状に連結した場合の長孔内におけるコンタクトピンの配置位置を示す説明図である。
【図１４】本発明に係る連結式照明器具同士を上方４５度の角度で連結した状態を示す平面図である。
【図１５】本発明に係る連結式照明器具同士を上方４５度の角度で連結した場合の長孔内におけるコンタクトピンの配置位置を示す説明図である。
【図１６】図９のＥ−Ｅ拡大断面図である。
【図１７】先端にバネ性の有るコンタクト部を有する導電板の拡大断面図である。
【符号の説明】
【００２９】
10    連結式照明器具
10Ａ  一方の連結式照明器具
10Ｂ  他方の連結式照明器具
12    基板
14    蓋部
16    器具本体
20    ＬＥＤ
22ａ  長孔
22ｂ  長孔
24    ネジ孔
26ａ  コンタクトピン
26ｂ  コンタクトピン
28    導電板
28ａ  導電板のコンタクト部
30    ネジ孔
32    ネジ
【図１】
2010218931.tif 000003
【図２】
2010218931.tif 000004
【図３】
2010218931.tif 000005
【図４】
2010218931.tif 000006
【図５】
2010218931.tif 000007
【図６】
2010218931.tif 000008
【図７】
2010218931.tif 000009
【図８】
2010218931.tif 000010
【図９】
2010218931.tif 000011
【図１０】
2010218931.tif 000012
【図１１】
2010218931.tif 000013
【図１２】
2010218931.tif 000014
【図１３】
2010218931.tif 000015
【図１４】
2010218931.tif 000016
【図１５】
2010218931.tif 000017
【図１６】
2010218931.tif 000018
【図１７】
2010218931.tif 000019